(57)【要約】【課題】  カメラのモニタ表示装置において好ましい構図の決定を容易に行うことを可能にする一方でカメラの大型化を防止する。【解決手段】  撮影する画像を表示するモニタ表示装置を備えるカメラであって、当該モニタ表示装置６は、複数の異なる構図テンプレートＴＥＭＰ１を選択して表示可能とする。モニタ表示装置６に表示した構図テンプレートＴＥＭＰ１を利用して被写体ＯＢＴ１の構図を決定できるので優れた構図の写真を容易に撮影できる。構図テンプレートは被写体の画像に重畳してモニタ表示装置に表示させるので、複数の構図テンプレートを備えても構図テンプレートの交換や切り替えの操作が簡略化でき、しかも構図テンプレートを切り替えを行うための機械的な動作手段が不要であり、カメラの小型化を図る。【選択図】  図３
2007166250.tif 000002
【特許請求の範囲】
【請求項１】
撮影する被写体の画像を表示するモニタ表示装置を備えるカメラであって、前記モニタ表示装置は被写体の構図を決定する際に参照とする構図テンプレートを当該被写体の画像に重畳して表示することが可能であることを特徴とするモニタ表示装置を備えるカメラ。
【請求項２】
前記モニタ表示装置は複数の異なる構図テンプレートを選択して表示可能であることを特徴とする請求項１に記載のモニタ表示装置を備えるカメラ。
【請求項３】
構図テンプレートの表示／非表示を切り替えるための構図テンプレート表示釦を備えることを特徴とする請求項１又は２に記載のモニタ表示装置を備えるカメラ。
【請求項４】
複数の異なる構図テンプレートを切り替えて選択するための構図テンプレート選択釦を備えることを特徴とする請求項２又は３に記載のモニタ表示装置を備えるカメラ。
【請求項５】
前記構図テンプレートは撮影する画像の測距領域を表示する測距表示を含むことを特徴とする請求項１ないし４のいずれかに記載のモニタ表示装置を備えるカメラ。
【請求項６】
前記モニタ表示装置は表示された構図テンプレートの利用方法を案内するためのガイドメッセージを表示することが可能であることを特徴とする請求項１ないし５のいずれかに記載のモニタ表示装置を備えるカメラ。
【請求項７】
前記構図テンプレートに関係付けられた領域を測光する測光手段を備えることを特徴とする請求項１ないし６のいずれかに記載のモニタ表示装置を備えるカメラ。
【請求項８】
前記モニタ装置はＬＣＤ表示装置である請求項１ないし７のいずれかに記載のモニタ表示装置を備えるカメラ。
【請求項９】
前記カメラはデジタルカメラであることを特徴とする請求項１ないし８のいずれかに記載のモニタ表示装置を備えるカメラ。
【発明の詳細な説明】
【技術分野】
【０００１】
本発明はデジタルカメラ等のように撮影しようとする画像をモニタ画面に表示するモニタ表示装置を備えるカメラに関し、特にモニタ表示装置に撮影者が構図を決定する際に用いて有効な構図テンプレートを表示することが可能なカメラに関するものである。
【背景技術】
【０００２】
デジタルカメラでは初心者でも好適な写真が撮影できるように「ピクチャーモード」や「シーンモード」等のように、撮影対象や撮影状況の相違にかかわらずカメラの撮影条件を自動的に設定するためのモードが用意されている。しかし、この種のモードは露出や焦点等の適切な画像を得るためのものであり、撮影する画像の構図を適切に設定するものではない。そのため、撮影者はあくまでも自身の判断で構図を決定する必要がある。デジタルカメラでは撮影する被写体の画像をファインダ装置で確認する代わりに、当該被写体の画像をＬＣＤ装置（液晶表示装置）等で構成されるモニタ表示装置に表示し、このモニタ表示装置を見ながら画像の構図を決定している。しかしながら、実際の撮影時にはシャッタータイミングに注意が向けられており、適切な構図を決定することは難しく、特に初心者が適切な構図を得ることは難しく、いわゆる絵になる写真、特に一般的に言われている黄金比に構図された写真を撮影することは難しい。また、黄金比の概念を知っている熟練の撮影者でも、実際にモニタ表示装置に表示されている被写体の画像がどの程度の比で構図されているのかを確認することは難しい。
【０００３】
このような構図を決定する際に有効な手段として、特許文献１では、好ましいとされる絵図を透光性を有する部材に描いてポーズ表示手段を用意しておき、撮影しようとする画像をこのポーズ表示手段に重ねて観察することで当該ポーズ表示手段に近いポーズの写真を容易に撮影することを可能にしたカメラが提案されている。
【特許文献１】特開平１１−３５２５５６号公報
【発明の開示】
【発明が解決しようとする課題】
【０００４】
特許文献１のポーズ表示手段は、透光性の平面部材に描いたものを交換しながらカメラに装着する構成であるため、風景や人物、静物等、様々な被写体を撮影する場合にはそれぞれに対応した種々のポーズ表示手段が必要になる。複数のポーズを交換するようにした場合には、複数のポーズを用意し、かつ保管したり交換する作業が面倒なものになる。また、交換する際に時間がかかり、実際の撮影時にシャッターチャンスを逃がしてしまうおそれもある。特許文献１では、複数のポーズ表示手段を機械的に構成された切替手段によって切り替えるように構成しているが、カメラの構造が複雑になり、カメラの小型化を図る上での障害になる。
【０００５】
本発明の目的は、モニタ表示装置において好ましい構図の決定を容易に行うことを可能にする一方で、複数のポーズ表示手段を用意することなく、また機械的な手段を不要にしてカメラの大型化を生じることのないカメラを提供するものである。
【課題を解決するための手段】
【０００６】
本発明は、撮影する被写体の画像を表示するモニタ表示装置を備えるカメラであって、当該モニタ表示装置は被写体の構図を決定する際に参照する構図テンプレートを当該被写体の画像に重畳して表示することが可能であることを特徴とする。特に、モニタ表示装置は複数の異なる構図テンプレートを選択して表示可能とする。また、この場合において、構図テンプレートの表示／非表示を切り替えるための構図テンプレート表示釦を備えること、あるいは複数の異なる構図テンプレートを切り替えて選択するための構図テンプレート選択釦を備えることが好ましい。
【０００７】
本発明においては、構図テンプレートは撮影する画像の測距領域を表示する測距表示を含むことが好ましい。また、モニタ表示装置は表示された構図テンプレートの利用方法を案内するためのガイドメッセージを表示することが好ましい。さらに、構図テンプレートに関係付けられた領域を測光する測光手段を備えることが好ましい。
【発明の効果】
【０００８】
本発明によれば、モニタ表示装置に表示した構図テンプレートを利用して被写体の構図を決定できるので優れた構図の写真を容易に撮影することが可能となる。また、構図テンプレートは被写体の画像に重畳してモニタ表示装置に表示させるので、複数の構図テンプレートの交換や切り替えの操作が簡略化でき、しかも迅速な交換が可能でシャッターチャンスを逃がすようなこともない。また、複数の構図テンプレートを切り替えを行うための機械的な動作手段が不要であり、カメラの小型化を図る上で有利である。
【実施例１】
【０００９】
次に、本発明の実施例を図面を参照して説明する。図１は本発明のモニタ表示装置を備えたカメラをデジタルカメラに適用した実施例であり、当該デジタルカメラを背面方向から見た斜視図である。カメラボディ１の上面にメインスイッチ３、各種撮影モードを設定するためのモードダイヤル４、シャッタ釦５が配置される。また、カメラボディ１の背面にＬＣＤ装置で構成されるモニタ表示装置６と、各種機能スイッチが配設される。この各種機能スイッチとして、ここでは１つの釦を構図テンプレート表示釦７として構成し、また十字釦８を構図テンプレート選択釦を兼ねる釦として配設されている。なお、カメラボディ１の前面には図には表れないが、後述する撮影レンズ２やストロボ９が配設されている。
【００１０】
図２は当該デジタルカメラのブロック構成図である。図１には表れない撮影レンズ２で結像した被写体像をシャッタを兼用しているシャッタ・絞り２０２で絞り、光学ローパスフィルタ２０３を通してＣＣＤ素子等で構成される撮像素子２０１で撮像する。撮像素子２０１からの撮像信号はアンプ（ＡＭＰ）２０４で増幅され、Ａ／Ｄ変換器２０５においてデジタルの画像信号に変換される。このデジタル画像信号は信号処理回路２０６においてカラープロセス処理やガンマ補正等の所定の信号処理が施され、圧縮回路２０７において圧縮され、あるいは圧縮されることなくＶＲＡＭ（画像メモリ）２０８に書き込まれる。また、信号処理されたデジタル画像信号はモニタ駆動装置２１６により前記モニタ表示装置６にスルー画像として表示される。前記撮像素子２０１は、ＣＰＵ２００がクロックジェネレータ２０９を介してＣＣＤドライバ２１０を制御することによって、撮像時における撮像素子２０１での蓄積時間を設定することが可能である。
【００１１】
前記ＣＰＵ２００は被写体を撮像する際には撮像素子２０１で撮像した撮像信号に基づいて画面上の任意の位置の測距を行い、この測距データに基づいてＡＦ（自動焦点）機構２１１を制御し、同時に前記撮像素子２０１の撮像信号を利用して露出制御部２１５を制御し、露出を測定する。また、撮影レンズ２の焦点距離を変化させるズーム機構２１３を制御する。さらに、シャッタ・絞り駆動機構２１２を制御して前記シャッタ・絞り２０２を制御する。また、ストロボ９を発光させるストロボ制御部２１４を制御する。
【００１２】
前記ＣＰＵ２００には予め設定された各種の構図テンプレートのデータが記録された構図テンプレートテーブル２２０が接続されている。また、ＣＰＵ２００には前記メインスイッチ３、モードダイヤル４が接続されるとともに、前記構図テンプレート表示釦７と十字釦８が接続されており、これらスイッチ、ダイヤル、釦が操作されたときに所要の制御を実行する。特に、構図テンプレート表示釦７が操作されたときには構図テンプレートテーブル２２０から構図テンプレートを読み出し、この読み出した構図テンプレートをモニタ駆動回路２１６を制御してモニタ表示装置６に表示する。また、この表示した状態では十字釦８は構図テンプレート選択釦として機能し、当該十字釦８を操作すると構図テンプレートテーブル２２０から読み出す構図テンプレートを変更してモニタ表示装置６に表示する。この構図テンプレートはモニタ表示装置６において前述した被写体のスルー画像に重畳して表示される。また、後述するように各構図テンプレートにはそれぞれ被写体の測距を行って前記ＡＦ機構２１１によるＡＦ制御を行うための測距点や測距範囲を示す枠状の測距表示が一体のデータとして記録されている。ＣＰＵ２００は読み出した構図テンプレートにおける測距表示の画面上の位置を認識し、この認識した位置において測距した測距データに基づいてＡＦ機構２１１でのＡＦ制御を行なうように構成されている。
【００１３】
図３は複数種類用意された前記構図テンプレートのうちの「人物用テンプレート」ＴＥＭＰ１を示す。この「人物用テンプレート」ＴＥＭＰ１は撮影画面、すなわちモニタ表示装置６のモニタ画面の左右中央寄りの上下中間から下側に至る領域を囲むように表示される矩形のガイド線Ｇ１として構成される。また、この矩形のガイド線Ｇ１のほぼ中央位置には測距手段としての測距枠ＤＳＴが表示される。この「人物用テンプレート」ＴＥＭＰ１は、人物や集合写真を撮影する際の構図テンプレートとして利用されるものであり、スナップ写真として人物を撮影する際には、図３（ａ）のように、ガイド線Ｇ１の中に人物ＯＢＴ１１が入るように構図を決定する。また、集合写真を撮影する際には、図３（ｂ）のように、ガイド線Ｇ１の中に集合人物ＯＢＴ１２が入るように構図を決定する。また、このようにモニタ表示装置６において被写体の構図を決定したときには、測距枠ＤＳＴは被写体ＯＢＴ１１，ＯＢＴ１２のほぼ中心に位置されることになり、当該被写体ＯＢＴ１１，ＯＢＴ１２までの撮影距離を測距する。さらに、ガイド線Ｇ１で囲まれた領域、あるいは測距枠ＤＳＴで囲まれた領域の露出を測光するように構成することも可能である。また、この例では、表示された「人物用テンプレート」の利用方法を案内するためのガイドメッセージＧＭをモニタ表示装置６の下辺に沿って水平方向に表示している。例えば、ガイドメッセージＧＭとして「人物をガイド線内に合わせて下さい」のような文字を表示させる。
【００１４】
この「人物用テンプレート」ＴＥＭＰ１を利用した実施例１のデジタルカメラの撮影動作を図４のフローチャートを参照して説明する。メインスイッチ３がオン操作され（Ｓ１０１）、モードダイヤル４により撮影モードが設定される（Ｓ１０２）。設定される撮影モードの１つにピクチャーモードがあり、ピクチャーモードに設定されたときには（Ｓ１０３）、構図テンプレート表示釦７の操作によりデフォルトの構図テンプレートが表示され、構図テンプレート表示釦７を操作しないときにはモニタ表示装置６に構図テンプレートは表示されない（Ｓ１０４）。すなわち、構図テンプレート表示釦７を偶数回押すことで構図テンプレートが表示されずにモニタ表示装置６のモニタ画面は通常の表示となり（Ｓ１０８）、奇数回押すことで表示される（Ｓ１０５）。次いで、撮影者はデフォルトの構図テンプレートが表示されている状態で十字釦８を押すことで別の構図テンプレートに変更することが可能であり、十字釦８を複数回押すことで複数種類の構図テンプレートを順次表示させながら選択することが可能である（Ｓ１０６）。ここでは、十字釦８により「人物用テンプレート」ＴＥＭＰ１を表示させるものとする（Ｓ１０７）。
【００１５】
次いで、撮影者は図３（ａ）のように表示された「人物用テンプレート」ＴＥＭＰ１を参照して被写体ＯＢＴ１１の構図を決定する。この構図の決定は前述の通りである。このとき、モニタ表示装置６に表示されたガイドメッセージＧＭの「人物をガイド線内に合わせて下さい」に従って「人物用テンプレート」ＴＥＭＰ１の矩形をしたガイド線Ｇ１の中に被写体の人物ＯＢＴ１１が入るように構図を決定する。また、集合写真を撮影する際には、図３（ｂ）のように、ガイド線Ｇ１の中に被写体の集合人物ＯＢＴ１２が入るように構図を決定する。このようにして構図を決定した上でシャッタ釦５を半押しすると（Ｓ１０９）、測光スイッチがオンし、ＣＰＵ２００は被写体を測光するとともに、測距枠ＤＳＴで囲まれた領域、すなわち矩形のガイド線内のほぼ中心に構図決定された被写体の人物や集合人物の測距を行い、この測距データに基づいてＡＦ機構２１１でのＡＦ制御を実行する（Ｓ１１０）。また、同時に露出制御により絞り値とシャッタ速度を決定する（Ｓ１１１）。しかる上で、シャッタ釦５を全押しするとレリーズスイッチがオンし、ＣＰＵ２００はシャッタ・絞り機構２１２を駆動して撮影動作を行い（Ｓ１１３）、撮像素子２０１で撮像しかつ信号処理された撮像信号を画像メモリ２０８に書き込み、同時にモニタ表示装置６に撮影画像として表示する（Ｓ１１４）。メインスイッチ３がオフされていないときにはステップＳ１０２に戻る。
【００１６】
この実施例のように人物や集合人物を撮影する際に、モニタ表示装置６のモニタ画面には被写体のスルー画像に重畳して構図テンプレートとして「人物用テンプレート」が表示されるので、撮影者は人物や集合人物を「人物用テンプレート」ＴＥＭＰ１の矩形のガイド線Ｇ１の中に収まるように、あるいはガイド線Ｇ１を基準にして位置決めを行うことで構図を決めることができる。これにより、写真の基本構図等を知らないカメラ初心者であっても絵として満足する写真を容易に撮影することが可能になる。また、構図を決定すれば自動的に被写体の人物や集合人物に焦点のあった写真が撮れることになる。さらに、この場合にＣＰＵ２００ではガイド線Ｇ１で囲まれた領域、あるいは測距枠ＤＳＴで囲まれた領域について測光を行い、この測光値に基づいて露出制御を実行することで被写体の人物や集合人物に対する適正露出の写真を得ることもできる。したがって、実施例のカメラでは、特許文献１のように構図テンプレートとして複数のポーズ表示手段を用意してこれを手作業で交換する必要はなく、またこれらを交換するための機械的な構造体も不要であり、撮影時の操作を簡略化するとともに、カメラの大型化が生じることもなく、これにより撮影時の操作の簡略化及びカメラの小型化を図ることが可能になる。
【００１７】
ここで本発明において適用可能な構図テンプレートについて数種類の例を説明する。なお、以降の説明ではガイドメッセージは表示していない場合を示している。図５の構図テンプレートはデフォルトとしての「基本テンプレート」ＴＥＭＰ０であり、モニタ表示装置６のモニタ画面を縦横にそれぞれ３分する垂直ガイド線Ｇｖ01，Ｇｖ02と水平ガイド線Ｇｈ01，Ｇｈ02で構成される。これらのガイド線は縦横比が黄金比となるように設計されている。そして、これら各２本のガイド線Ｇｖ01，Ｇｖ02とＧｈ01，Ｇｈ02のうち、いずれか１本の垂直ガイド線と１本の水平ガイド線は太線で目立つように表示され、他の各１本のガイド線は細線で表示されるようになっており、これら太線が交差した箇所に測距表示として測距枠ＤＳＴが配設されている。例えば、図５（ａ）では、１本の垂直ガイド線Ｇｖ01と１本の水平ガイド線Ｇｈ01がそれぞれ太線で表示されている。同様に、図５（ｂ）では、垂直ガイド線Ｇｖ02と１本の水平ガイド線Ｇｈ01がそれぞれ太線で表示され、図５（ｃ）では、垂直ガイド線Ｇｖ01と１本の水平ガイド線Ｇｈ02がそれぞれ太線で表示され、図５（ｄ）では、垂直ガイド線Ｇｖ02と１本の水平ガイド線Ｇｈ02がそれぞれ太線で表示されている。
【００１８】
図５の「基本テンプレート」ＴＥＭＰ０を用いた撮影では遠景を撮影する場合に、主体となる物体ＯＢＴ０を太線の垂直ガイド線と水平ガイド線の交点に位置合わせする。この場合に撮影者の好みにより太線で表示される垂直ガイド線と水平ガイド線の組み合わせを選択することで、図５（ａ）〜（ｄ）に示したように異なった構図を得ることができる。これにより、いずれの構図においても、撮影画面を縦横に黄金分割したポイントに主体となる物体ＯＢＴ０を配置した構図が得られ、いわゆる絵になる写真を容易に撮影することができる。また、同時に主体となる物体ＯＢＴ０に対して適切に焦点合わせした写真を撮影することができる。
【００１９】
図６は「静物用テンプレート」ＴＥＭＰ２であり、モニタ表示装置６の四隅を結ぶ対角線からなる２本の斜めガイド線Ｇ２１，Ｇ２２で構成される。また、各斜めガイド線の上側寄り位置と下側寄り位置にそれぞれ測距表示として測距枠ＤＳＴが配設されている。ここでは、測距枠ＤＳＴの配設位置の相違により図６（ａ）〜（ｄ）の４種類の静物用の構図テンプレートが構成されることになる。この「静物用テンプレート」ＴＥＭＰ２を用いた撮影では、例えば複数本の花を撮影する際に最も手前にある主体となる花ＯＢＴ２をいずれかの斜めガイド線Ｇ２１，Ｇ２２上の測距枠ＤＳＴが存在する上側寄り或いは下側寄りの位置に配置する。これにより、複数本の花を遠近法により配置した絵になる構図が得られるとともに、主体となる花ＯＢＴ２に焦点を合わせた写真を容易に撮影することができる。
【００２０】
図７は「風景用テンプレート」ＴＥＭＰ３であり、頂点位置が左右にずれた２つの三角形をそれぞれ規定するようにした各２本の斜線からなる山型ガイド線Ｇ３１，Ｇ３２で構成される。この山型ガイド線Ｇ３１，Ｇ３２は図７（ａ），（ｂ）に示すように、撮影方向、すなわちモニタ表示装置６の横位置と縦位置のそれぞれに対応して設定される。なお、この「風景用テンプレート」ＴＥＭＰ３では、測距表示としての測距枠ＤＳＴはモニタ表示装置６の中央に配設される。この「風景用テンプレート」ＴＥＭＰ３を用いた撮影では、例えは図７（ａ）のように被写体として山岳ＯＢＴ３１を撮影する際には各山型ガイド線Ｇ３１，Ｇ３２に山岳ＯＢＴ３１の稜線が合うように構図を決める。この場合には風景の中央に焦点が合わせられる。また、図７（ｂ）のように被写体として奥行きのある道ＯＢＴ３２を撮影する場合には任意の山型ガイド線Ｇ３１，Ｇ３２に道が沿うように構図を決める。この場合も風景の中央に焦点が合わせられる。これにより、絵になる構図で、かつ焦点のあった風景写真を容易に撮影することができる。
【００２１】
図８は「ポートレート用テンプレート」ＴＥＭＰ４であり、図８（ａ），（ｂ）に示すように、モニタ表示装置６の縦位置に対して画面の左側領域又は右側領域をそれぞれ囲む左領域ガイド線Ｇ４１と右領域ガイド線Ｇ４２のいずれかを選択して構成される。この「ポートレート用テンプレート」ＴＥＭＰ４の場合には、測距枠ＤＳＴは各ガイド線Ｇ４１又はＧ４２で囲まれる領域の左右方向のほぼ中央で上下方向の若干上側寄りに配設される。この「ポートレート用テンプレート」ＴＥＭＰ４を用いた撮影では、被写体としての人物ＯＢＴ４の上半身を左又は右の領域ガイド線Ｇ４１，Ｇ４２で囲まれる領域に入るように構図を決める。これにより、人物ＯＢＴ４の顔に焦点が合わせられ、絵になる構図のポートレート写真を容易に撮影することができる。
【００２２】
以上の各実施例の構図テンプレートはそれぞれ汎用的なテンプレートの例であり、必要に応じてより具体化した構図テンプレートをモニタ表示装置に表示させることも可能である。例えば、人物写真を撮影するための「人物用テンプレート」の例で言えば、１人用テンプレート、２人用テンプレート、３人用テンプレート等のように、１人あるいは２人又は３人が並んだときの人間の輪郭に沿った曲線からなるガイド線を構図テンプレートとして表示するようにしてもよい。この場合には、当該ガイド線に一致するように被写体をモニタ表示装置に表示するように焦点距離（ズーム値）を調整しながら構図合わせすればよく、極めて容易に構図合わせして絵になる写真を容易に撮影することが可能になる。
【００２３】
また、実施例では構図テンプレートをガイド線で表示する例を示したが、モニタ表示装置のモニタ画面の一部或いは複数箇所を異なる色、あるいは所要の模様パターンで塗り潰した領域として表示することで被写体を構図合わせする際のガイドとして利用したテンプレートとして構成するようにしてもよい。
【００２４】
以上の説明は本発明を静止画を撮影するデジタルカメラに適用した例を示したが、撮影する被写体の画像をモニタ表示装置に表示することが可能なカメラであれば、ビデオカメラにも適用することができる。勿論、フィルムを用いたカメラでもモニタ表示装置を備えていれば適用することが可能である。さらに、モニタ表示装置は実施例のＬＣＤ表示装置に限られるものではなく、ＥＬ（エレクトロルミネッセンス）表示装置で構成されるモニタ表示装置であってもよい。
【図面の簡単な説明】
【００２５】
【図１】本発明の実施例のデジタルカメラを背面方向から見た斜視図である。
【図２】実施例のデジタルカメラの回路構成を示すブロック図である。
【図３】「人物用テンプレート」の表示例を示す図である。
【図４】構図テンプレートを利用した撮影方法を説明するフローチャートである。
【図５】「基本テンプレート」の表示例を示す図である。
【図６】「静物用テンプレート」の表示例を示す図である。
【図７】「風景用テンプレート」の表示例を示す図である。
【図８】「ポートレート用テンプレート」の表示例を示す図である。
【符号の説明】
【００２６】
１  カメラボディ
２  撮影レンズ
３  メインスイッチ
４  モードダイヤル
５  シャッター釦
６  モニタ表示装置
７  構図テンプレート表示釦
８  十字釦
ＴＥＭＰ＊  構図テンプレート
Ｇ＊＊  ガイド線
ＤＳＴ  測距枠
ＯＢＴ＊  被写体
【図１】
2007166250.tif 000003
【図２】
2007166250.tif 000004
【図３】
2007166250.tif 000005
【図４】
2007166250.tif 000006
【図５】
2007166250.tif 000007
【図６】
2007166250.tif 000008
【図７】
2007166250.tif 000009
【図８】
2007166250.tif 000010